(57)【要約】【課題】内容物を詰め替えた後は減容することが可能であり、詰め替えに要する時間を短縮することができるとともに詰め替え作業もより簡単になる詰め替え容器を提供する。【解決手段】本発明の詰め替え容器は、胴部３に、胴部３を底部側胴部３ａと口部側胴部３ｂに区画するとともに底部４を収容空間Ｍに向けて押圧することにより底部側胴部３ａが反転する起点となる屈曲ライン７を設け、底部４に、収容空間Ｍに向けて突出し底部側胴部３ａの反転に伴って口部２に入り込んで口部２の内周面と部分的に当接する凸部５を設けたことを特徴とする。【選択図】図１
2014125264.tif 000002
【特許請求の範囲】
【請求項１】
口部に続く胴部及び底部を一体連結するとともに、その内側に形成される収容空間に他の容器に詰め替えるための内容物が収容される詰め替え容器において、
前記胴部に、該胴部を底部側胴部と口部側胴部に区画するとともに該底部を該収容空間に向けて押圧することにより該底部側胴部が反転する起点となる屈曲ラインを設け、
前記底部に、前記収容空間に向けて突出し該底部側胴部の反転に伴って該口部に入り込んで該口部の内周面と部分的に当接する凸部を設けた詰め替え容器。
【請求項２】
前記凸部の外周面及び前記口部の内周面の少なくとも一方に、該底部側胴部の反転に伴い該口部に入り込んだ該凸部を嵌合保持するとともに該凸部と該口部との間に隙間を持たせて該収容空間内の内容物が流れ出る流路を形成する少なくとも１つの縦リブを設けた請求項１に記載の詰め替え容器。
【請求項３】
前記胴部は、前記底部より連続する薄肉部と前記口部より連続し該薄肉部よりも肉厚となる厚肉部とを有し、該薄肉部と該厚肉部との境界部を、前記屈曲ラインよりも底部側に位置させて他の屈曲ラインとした請求項１又は２に記載の詰め替え容器。
【発明の詳細な説明】
【技術分野】
【０００１】
本発明は、洗剤、柔軟剤、漂白剤等、他の容器に詰め替えるための内容物が収容され、詰め替え後はコンパクトな状態にして廃棄することができる詰め替え容器に関する。
【背景技術】
【０００２】
近年、省資源化や廃棄されるゴミの量を削減する観点から、内容物を使い切った後も継続して使用することができるように、使用後の容器に対して内容物を移し替え可能とする詰め替え容器を用いる機会が増えている。
【０００３】
このような詰め替え容器として、例えば特許文献１には、底部に凸部を設け、容器本体の上部と底部とが相互に当接するように押圧することで、凸部を注ぎ口の内周面に嵌合させて減容することができる容器が開示されている。
【先行技術文献】
【特許文献】
【０００４】
【特許文献１】特開２００１−１９９４４３号公報
【発明の概要】
【発明が解決しようとする課題】
【０００５】
ところで、このような従来の容器では、特に粘性が高い内容物を詰め替えるに当たって、詰め替え作業に要する時間を短縮させるべく、底部を口部に向けて押圧することで内容物を強制的に排出させることが可能であるが、凸部が注ぎ口に嵌合してしまうとそれ以上内容物を排出させることができなくなり、内容物の一部が詰め替え容器内に残ってしまうことがあった。また、詰め替え作業の最終段階まで凸部が注ぎ口に嵌合しないようにすれば内容物を無駄なく注出させることが可能であるものの、注ぎ口に嵌合しないように注意する必要があるため、作業に煩わしさがあった。このため、詰め替えに要する時間を短くするとともにより簡単に詰め替え作業を行うことができる、新たな詰め替え容器が望まれていた。
【０００６】
本発明は、このような従来の問題点を解決することを課題とするものであり、その目的は、内容物を詰め替えた後はコンパクトな状態にして廃棄することができ、しかも詰め替えに要する時間を短縮することができるとともに詰め替え作業もより簡単になる、新たな詰め替え容器を提案するところにある。
【課題を解決するための手段】
【０００７】
本発明は、口部に続く胴部及び底部を一体連結するとともに、その内側に形成される収容空間に他の容器に詰め替えるための内容物が収容される詰め替え容器において、
前記胴部に、該胴部を底部側胴部と口部側胴部に区画するとともに該底部を該収容空間に向けて押圧することにより該底部側胴部が反転する起点となる屈曲ラインを設け、
前記底部に、前記収容空間に向けて突出し該底部側胴部の反転に伴って該口部に入り込んで該口部の内周面と部分的に当接する凸部を設けた詰め替え容器である。
【０００８】
前記凸部の外周面及び前記口部の内周面の少なくとも一方に、該底部側胴部の反転に伴い該口部に入り込んだ該凸部を嵌合保持するとともに該凸部と該口部との間に隙間を持たせて該収容空間内の内容物が流れ出る流路を形成する少なくとも１つの縦リブを設けることが好ましい。
【０００９】
前記胴部は、前記底部より連続する薄肉部と前記口部より連続し該薄肉部よりも肉厚となる厚肉部とを有し、該薄肉部と該厚肉部との境界部を、前記屈曲ラインよりも底部側に位置させて他の屈曲ラインとすることが好ましい。
【発明の効果】
【００１０】
本発明に従う詰め替え容器は、胴部に底部側胴部が反転する起点となる屈曲ラインを備え、底部に、収容空間に向けて突出し底部側胴部の反転に伴い口部に入り込んで口部の内周面と部分的に当接する凸部を設けている。これにより、底部を押圧して内容物を強制排出することで詰め替え時間を短縮することができ、また、凸部が部分的に当接する口部によって嵌合保持されるとともに、当接していない凸部と口部との間に形成される隙間から収容空間内の内容物を注出させることができるので（凸部と口部との隙間が内容物の流路となる）、詰め替え作業に特段の注意を払う必要が無くなる。また、容器を減容したままの状態にすることができるので、コンパクトな状態で廃棄することができる。凸部と口部との部分的な当接は、何れか一方の形状に対し他方の形状を一方とは異形にする（例えば一方の横断面形状が円状であれば、他方の横断面形状を楕円状や四角形状、星形形状にする）ことや、何れも略同形状にして凸部を口部に嵌合可能にするとともに少なくとも一方に内容物の流路を形成する縦溝を設けることが挙げられるが、容器の生産性や凸部の嵌合のしやすさを考慮すると、凸部の外周面及び口部の内周面の少なくとも一方に、少なくとも１つの縦リブを設けることが好ましい。
【００１１】
胴部に、底部より連続する薄肉部と口部より連続し薄肉部よりも肉厚となる厚肉部とを設け、薄肉部と厚肉部との境界部を、屈曲ラインよりも底部側に位置させて他の屈曲ラインとする場合は、撓み変形しやすい薄肉部は他の屈曲ラインまで簡単に反転するので、底部を押圧せずとも或いは弱い力で押圧するだけで内容物を注出することができ、その後は前述の屈曲ラインに沿って胴部を反転させれば内容物を最後まで注出させることができる。
【図面の簡単な説明】
【００１２】
【図１】本発明に従う詰め替え容器の一実施形態を示す側面図及び断面図を、容器の軸線を境に半分ずつ示した図である。
【図２】図１に示す状態からキャップを取り外すとともに容器を倒立させた状態を示す図であって、仮想線は内容物の注出前の状態を示し、実線は胴部の薄肉部が反転し内容物が注出される状態を示す。
【図３】（ａ）は、図２で示した胴部の薄肉部が反転した状態（仮想線）から、凸部を押圧して口部に嵌合させ、更に薄肉部を内側に収めつつ屈曲ラインにて厚肉部を反転させた状態（実線）を示す図であり、（ｂ）は、（ａ）の矢印Ａに沿う矢視図である。
【図４】図３（ａ）に対し、薄肉部を外側に残した状態で厚肉部を反転させた状態を示す図である。
【発明を実施するための形態】
【００１３】
以下、図面を参照して、本発明をより具体的に説明する。
図１は、本発明に従う詰め替え容器の一実施形態を示す側面図及び断面図を、容器の軸線を境に半分ずつ示した図であって、図２は、図１に示す状態からキャップを取り外すとともに容器を倒立させた状態を示す図であって、図３（ａ）は、図２で示した胴部の薄肉部が反転した状態（仮想線）から、凸部を押圧して口部に嵌合させ、更に薄肉部を内側に収めつつ屈曲ラインにて厚肉部を反転させた状態（実線）を示す図であり、図３（ｂ）は、図３（ａ）の矢印Ａに沿う矢視図であって、図４は、図３（ａ）に対し、薄肉部を外側に残した状態で厚肉部を反転させた状態を示す図である。
【００１４】
図１において、符号１は詰め替え容器である。本実施形態において詰め替え容器１は、外周面にねじ部を有する円筒状の口部２と、口部２より緩やかに拡径しつつその後は口部２よりも大径の円筒状となって延びる胴部３と、胴部３との間に断面円弧状の曲面を介して連結する円板状の底部４とを一体連結した合成樹脂製の容器である。詰め替え容器１の内側には、内容物の収容空間Ｍが形成されている。
【００１５】
底部４の略中央には、収容空間Ｍに向けて突き出す有頂筒状の凸部５を設けている。また凸部５の外周面には、容器１の軸線方向に沿って延びる縦リブ６を設けている。本実施形態では、図３に示すように均等間隔で合計３本設けている。ここで縦リブ６を含めた凸部５の最大径は、口部２の内径よりも僅かに大きくなっている。
【００１６】
また、図１に示すように本実施形態では、胴部３に周方向に沿う溝部７を設けていて、胴部３は溝部７を境として、底部側胴部３ａと口部側胴部３ｂとに区画されている。また、この溝部７を起点として、底部側胴部３ａが収容空間Ｍ側に向けて反転可能となっている（溝部７が屈曲ラインとなる）。
【００１７】
また胴部３は、底部４より連続する薄肉部３ｃと、口部２より連続し薄肉部３ｃよりも肉厚となる厚肉部３ｄにて形成され、薄肉部３ｃと厚肉部３ｄとの境界部３ｅは、胴部３の周方向に沿って延在している。薄肉部３ｃは厚肉部３ｄよりも撓み変形しやすいため、厚肉部３ｄに対して優先して反転させることができる（境界部３ｅが他の屈曲ラインとなる）。なお、「底部より連続する薄肉部」とは、底部４の厚みと胴部３の薄肉部３ｃの厚みがともに薄くなっていることを意味するが、両者の厚みは異なっていても構わない。また、「口部より連続し薄肉部より肉厚となる厚肉部」とは、口部２の厚みと胴部３の厚肉部３ｄの厚みがともに薄肉部３ｃよりも厚くなっていることを意味するが、両者の厚みは異なっていても構わない。また凸部５の厚みは、底部４に対して厚くなっている。
【００１８】
更に本実施形態では、口部２にねじ止め保持される有頂筒状のキャップ８を設けていて、更にキャップ８の内側には口部２との間で挟持されるパッキン９を設けている。これにより収容空間Ｍは、気密かつ液密に維持される。なお、ねじ止めに代えてアンダーカットでキャップ８を保持するようにしてもよい。
【００１９】
上記のような構成となる詰め替え容器１から内容物を注出させるには、キャップ８及びパッキン９を取り外し、図２の仮想線で示すように倒立姿勢として、図示は省略するが、詰め替え先の他の容器の口部にあてがう。薄肉部３ｃは内容物の注出に伴って容易に撓み変形するので、底部４を押圧せずとも或いは弱い力で押圧するだけで図２の実線で示すように収容空間Ｍ側に反転させることができる。なお、底部４を比較的強い力で押圧すれば、内容物を急速に注出させて詰め替え作業に要する時間を短縮することも可能である。
【００２０】
その後、図３に示すように凸部５を口部２に向けて押圧することで、引き続き残りの内容物を注出することができる。そして押圧を継続して凸部５を口部２に押し込むことで、凸部５は口部２に嵌合保持される。ここで、凸部５に設けた縦リブ６によって、凸部５の外周面と口部２の内周面との間には隙間Ｓが形成されるので、収容空間Ｍ内の内容物は隙間Ｓを通して注出される（隙間Ｓは内容物の流路として機能する）。更に、溝部７を起点として、薄肉部３ｃを内側に収めつつ口部側胴部３ｂを反転させることで、詰め替え容器１は完全に減容され、収容空間Ｍ内に残存する内容物は略全て隙間Ｓから注出される。なお、詰め替え容器１の減容は、図４に示すように、薄肉部３ｃを口部側胴部３ｂの外側に残した状態で口部側胴部３ｂを反転させてもよい。
【００２１】
なお本実施形態では、溝部７で屈曲ラインを形成するとともに境界部３ｅで他の屈曲ラインを形成したが、相互に入れ換えても、また、両方を溝部又は境界部としてもよい。更に、他の屈曲ラインを省略して屈曲ラインのみで構成してもよい。また、図示は省略するが、前述の縦リブを口部２の内周面に設けてもよい。
【産業上の利用可能性】
【００２２】
本発明によれば、内容物を詰め替えた後は減容した状態で廃棄することができ、また、詰め替えに要する時間を短縮できるとともに詰め替え作業もより簡単になる、新たな詰め替え容器を提供することができる。
【符号の説明】
【００２３】
１  詰め替え容器
２  口部
３  胴部
３ａ  底部側胴部
３ｂ  口部側胴部
３ｃ  薄肉部
３ｄ  厚肉部
３ｅ  境界部（他の屈曲ライン）
４  底部
５  凸部
６  縦リブ
７  溝部（屈曲ライン）
８  キャップ
９  パッキン
Ｍ  収容空間
【図１】
2014125264.tif 000003
【図２】
2014125264.tif 000004
【図３】
2014125264.tif 000005
【図４】
2014125264.tif 000006